(57)【要約】【課題】清掃部材がスライド中に筐体から外れることを防止できる感光体カートリッジ、および、この感光体カートリッジを備える画像形成装置を提供すること。【解決手段】ドラムカートリッジ１８では、ドラム筐体３８に形成された溝５４に、ワイヤクリーナ５５がスライド自在に嵌合されている。ワイヤクリーナ５５は、溝５４の右端側（幅方向一端側）の待機位置と溝５４の左端側（幅方向他端側）の折返位置との間でスライドして放電ワイヤ５２に摺擦することによって、放電ワイヤ５２をクリーニングする。ワイヤクリーナ５５には、係止部６７が設けられている。係止部６７は、ワイヤクリーナ５５がスライドする際、折返位置において、溝５４の左端側におけるドラム筐体３８の左縁部５６に係止される。これにより、待機位置から折返位置までスライドしてきたワイヤクリーナ５５がこの左縁部５６を乗り越えて溝５４から外れることが阻止される。【選択図】図６
2010039322.tif 000002
【特許請求の範囲】
【請求項１】
表面に静電潜像が形成される感光体と、
前記感光体の軸方向に沿って延びる溝が形成され、前記感光体を収容する筐体と、
前記軸方向に沿って延び、前記感光体の表面に対向配置され、前記感光体の表面を帯電させる帯電部材と、
前記溝にスライド自在に嵌合され、前記溝の前記軸方向一端側の待機位置と前記溝の前記軸方向他端側の折返位置との間で前記帯電部材に摺擦する清掃部材と、
前記清掃部材に設けられ、前記折返位置において、前記溝の前記他端側における前記筐体の縁部に係止される係止部と
を備えていることを特徴とする、感光体カートリッジ。
【請求項２】
前記係止部は、前記縁部における外側面の反対の内側面に当接することを特徴とする、請求項１に記載の感光体カートリッジ。
【請求項３】
前記係止部は、前記溝内に配置されていることを特徴とする、請求項１または２に記載の感光体カートリッジ。
【請求項４】
請求項１ないし３のいずれかに記載の感光体カートリッジを備えることを特徴とする、画像形成装置。
【発明の詳細な説明】
【技術分野】
【０００１】
本発明は、電子写真方式の画像形成装置に装備される感光体カートリッジ、および、この感光体カートリッジを備える画像形成装置に関する。
【背景技術】
【０００２】
感光体カートリッジとして、静電潜像が形成される感光ドラムを備えるドラムカートリッジが知られている（たとえば、特許文献１参照）。
特許文献１に記載のドラムカートリッジには、その筐体に、感光ドラムに静電潜像を形成するために感光ドラムの表面を帯電させるスコロトロン型の帯電器が設けられている。帯電器は、感光ドラムの表面に対して間隔を隔てて対向配置されたワイヤと、ワイヤと感光ドラムとの間に設けられたグリッドとを備えている。
【０００３】
この帯電器では、グリッドにバイアス電圧を印加すると同時にワイヤに高電圧を印加してワイヤをコロナ放電させることにより、感光ドラムの表面を帯電させる。
そして、この帯電器には、ワイヤクリーナが備えられている。ワイヤクリーナは、ワイヤを挟持した状態で、ワイヤの延びる方向に沿ってスライド自在となるようにドラムカートリッジの筐体の溝に嵌合されている。ワイヤクリーナは、そのスライド方向における溝の一端側の待機位置と、他端側の折返位置との間でスライドすることができる。そして、ワイヤクリーナを、待機位置から折返位置へスライドさせ、次いで、折返位置から待機位置へスライドさせることにより、ワイヤクリーナがワイヤに摺擦してワイヤから汚れ（トナーや紙粉や放電で発生する放電生成物）を除去する。
【特許文献１】特開２００６−７２２８５号公報
【発明の開示】
【発明が解決しようとする課題】
【０００４】
特許文献１のドラムカートリッジのようにスライド自在なワイヤクリーナを備える場合には、ワイヤクリーナが、スライド中、詳しくは、待機位置から折返位置まで到達したときに、勢い余って溝の他端側における筐体の縁部を乗り越えて筐体から外れないように対策を講じる必要がある。
本発明の目的は、清掃部材がスライド中に筐体から外れることを防止できる感光体カートリッジ、および、この感光体カートリッジを備える画像形成装置を提供することにある。
【課題を解決するための手段】
【０００５】
上記の目的を達成するため、請求項１に記載の発明は、感光体カートリッジであって、表面に静電潜像が形成される感光体と、前記感光体の軸方向に沿って延びる溝が形成され、前記感光体を収容する筐体と、前記軸方向に沿って延び、前記感光体の表面に対向配置され、前記感光体の表面を帯電させる帯電部材と、前記溝にスライド自在に嵌合され、前記溝の前記軸方向一端側の待機位置と前記溝の前記軸方向他端側の折返位置との間で前記帯電部材に摺擦する清掃部材と、前記清掃部材に設けられ、前記折返位置において、前記溝の前記他端側における前記筐体の縁部に係止される係止部とを備えていることを特徴としている。
【０００６】
また、請求項２に記載の発明は、請求項１に記載の発明において、前記係止部は、前記縁部における外側面の反対の内側面に当接することを特徴としている。
また、請求項３に記載の発明は、請求項１または２に記載の発明において、前記係止部は、前記溝内に配置されていることを特徴としている。
また、請求項４に記載の発明は、画像形成装置であって、請求項１ないし３のいずれかに記載の感光体カートリッジを備えることを特徴としている。
【発明の効果】
【０００７】
請求項１および４に記載の発明によれば、この感光体カートリッジでは、感光体の軸方向（以下では、単に「軸方向」という。）に沿って延び、感光体の表面に対向配置された帯電部材が、感光体の表面を帯電させる。
そして、この感光体カートリッジでは、感光体の軸方向に沿って延びるように筐体に形成された溝に、清掃部材がスライド自在に嵌合されている。清掃部材は、溝の軸方向一端側の待機位置と溝の軸方向他端側の折返位置との間でスライドして帯電部材に摺擦することによって、帯電部材をクリーニングする。
【０００８】
ここで、清掃部材には、係止部が設けられている。係止部は、清掃部材がスライドする際、折返位置において、溝の他端側における筐体の縁部に係止される。これにより、待機位置から折返位置までスライドしてきた清掃部材がこの縁部を乗り越えて溝から外れることが阻止される。つまり、清掃部材がスライド中に筐体から外れることを防止できる。
請求項２に記載の発明によれば、係止部は、溝の他端側での筐体の縁部における外側面の反対の内側面に当接するので、係止部が縁部から外側へ離脱しにくくなり、係止部が縁部に係止された状態を強固に維持することができる。その結果、清掃部材がスライド中に筐体から外れることを確実に防止できる。
【０００９】
請求項３に記載の発明によれば、係止部は、溝内に配置されているので邪魔にならず、清掃部材のスライド中に係止部が溝の周りの部品に干渉することを防止できる。
【発明を実施するための最良の形態】
【００１０】
以下では、本発明の実施形態を、添付図面を参照して詳細に説明する。
１．プリンタの全体構成
図１は、本発明の画像形成装置の一例としてのレーザプリンタの側断面図である。
図１に示すように、レーザプリンタ１は、本体ケーシング２内に、フィーダ部３および画像形成部４を備えている。
【００１１】
本体ケーシング２の一方側の側壁には、フロントカバー５がその下端部を支点として開閉可能に設けられている。フロントカバー５を開くと、本体ケーシング２の内部空間が開放される。この状態で、プロセスカートリッジ１３（後述）を、本体ケーシング２の内部空間に着脱させることができる。フロントカバー５を閉じると、本体ケーシング２の内部空間が閉鎖される。
【００１２】
なお、以下の説明では、フロントカバー５が設けられる一方側（図１における右側）を前側とし、その反対側（図１における左側）を後側とする。また、レーザプリンタ１を前側から見たときを基準として左右を規定する。さらに、プロセスカートリッジ１３および現像カートリッジ１９（後述）に関しても、本体ケーシング２に対する装着状態を基準として前後左右上下を規定する。なお、左右方向を幅方向ということがある。
【００１３】
フィーダ部３は、給紙トレイ６、給紙ローラ７、給紙パッド８、ピックアップローラ９、ピンチローラ１０および１対のレジストローラ１１を備えている。
給紙トレイ６内には、用紙Ｐがスタックされている。給紙トレイ６内の最上位にある用紙Ｐは、ピックアップローラ９によって、給紙ローラ７と給紙パッド８との間に向けて送り出される。その送り出された用紙Ｐは、給紙ローラ７と給紙パッド８との間、給紙ローラ７とピンチローラ１０との間を順に通過し、レジストローラ１１に搬送される。そして、用紙Ｐは、レジストローラ１１によって、レジスト後に、画像形成部４の転写位置（後述）へ向けて搬送される。
【００１４】
画像形成部４は、スキャナユニット１２、プロセスカートリッジ１３および定着ユニット１４を備えている。
スキャナユニット１２は、本体ケーシング２内の上部に配置されている。スキャナユニット１２は、レーザ（図示せず）、ポリゴンミラー１５、複数のレンズ１６および複数の反射鏡１７を備えており、鎖線で示すように、プロセスカートリッジ１３の感光体の一例としての感光ドラム２０（後述）に向けてレーザビームを出射する。
【００１５】
プロセスカートリッジ１３は、スキャナユニット１２の下方に配置されている。プロセスカートリッジ１３は、感光体カートリッジの一例としてのドラムカートリッジ１８と、そのドラムカートリッジ１８に着脱自在に装着される現像カートリッジ１９とを備えている。上述したようにプロセスカートリッジ１３を本体ケーシング２に対して着脱させることによって、ドラムカートリッジ１８および現像カートリッジ１９が本体ケーシング２に対して着脱される。
【００１６】
ドラムカートリッジ１８には、感光ドラム２０が回転可能に設けられている。また、ドラムカートリッジ１８において、感光ドラム２０の周囲には、スコロトロン型の帯電器２１、転写ローラ２２、および、不織布等からなるクリーニング部材３５が配置されている。
現像カートリッジ１９は、その筐体（現像筐体２３という。）内に、アジテータ２４、供給ローラ２５、現像ローラ２６および層厚規制ブレード２７を備えている。
【００１７】
現像筐体２３内には、トナー収容室２８と現像室２９とが前後に並んで形成されている。トナー収容室２８と現像室２９とは、連通口３０により連通されている。
トナー収容室２８には、非磁性一成分の正帯電の重合トナーが収容されている。
アジテータ２４は、トナー収容室２８内に設けられている。
供給ローラ２５は、現像室２９内において、連通口３０の後方に設けられている。
【００１８】
現像ローラ２６は、現像室２９内に設けられ、供給ローラ２５に対して後側から圧接している。
層厚規制ブレード２７は、左右方向に延びる板状に形成されている。層厚規制ブレード２７の基端部は、現像筐体２３に固定され、その遊端部は、現像ローラ２６の周面に圧接している。
【００１９】
トナー収容室２８内のトナーは、アジテータ２４の回転により、トナー収容室２８内で攪拌されつつ、その一部が連通口３０を介して現像室２９内の供給ローラ２５に供給される。供給ローラ２５に供給されたトナーは、供給ローラ２５の回転により、現像ローラ２６に供給される。このとき、トナーは、供給ローラ２５と現像バイアスが印加されている現像ローラ２６との間で正極性に摩擦帯電される。こうして現像ローラ２６に供給されたトナーは、現像ローラ２６の回転に伴って、層厚規制ブレード２７により厚さが規制され、一定厚さの薄層として現像ローラ２６の周面上に担持される。
【００２０】
一方、感光ドラム２０の表面は、感光ドラム２０の回転に伴って、帯電器２１により一様に正帯電される。そして、その正帯電した感光ドラム２０の表面に、スキャナユニット１２からのレーザビーム（鎖線参照）が選択的に照射されることにより、画像データに基づく静電潜像が形成される。
感光ドラム２０の回転により、感光ドラム２０の表面に形成されている静電潜像が現像ローラ２６と対向すると、現像ローラ２６の表面に担持されている正帯電トナーが、その静電潜像に供給される。これにより、静電潜像が可視像化され、感光ドラム２０の表面にトナー像が担持される。そして、トナー像は、感光ドラム２０と転写ローラ２２との間（転写位置）に搬送されてくる用紙Ｐ上に転写される。
【００２１】
なお、転写後に感光ドラム２０の表面に残存する転写残トナーは、現像ローラ２６で回収される。また、転写後に感光ドラム２０の表面に付着した用紙Ｐからの紙粉は、クリーニング部材３５によって、感光ドラム２０の表面から除去される。
定着ユニット１４は、プロセスカートリッジ１３の後方に設けられている。定着ユニット１４は、加熱ローラ３１と、加熱ローラ３１に下方から圧接される加圧ローラ３２とを備えている。
【００２２】
用紙Ｐに転写されたトナー像は、定着ユニット１４において、その用紙Ｐが加熱ローラ３１と加圧ローラ３２との間を通過する間に、加熱および加圧されることによって用紙Ｐに定着する。
トナー像が定着した用紙Ｐは、排紙ローラ３３に向けて搬送され、排紙ローラ３３によって、本体ケーシング２の上面に形成された排紙トレイ３４上に排紙される。
２．ドラムカートリッジ
次に、ドラムカートリッジ１８について詳説する。
【００２３】
図２は、ドラムカートリッジを左後側上方から見た斜視図であって、ワイヤクリーナが待機位置にある状態を示す。図３は、図２においてワイヤクリーナが折返位置にある状態を示す。図４は、ドラムカートリッジの平面図であって、ワイヤクリーナが待機位置にある状態を示す。図５は、図４においてワイヤクリーナが折返位置にある状態を示す。図６において、（ａ）は、図４のＡ−Ａ矢視断面図であり、（ｂ）は、図５のＢ−Ｂ矢視断面図である。
【００２４】
図１に示すように、ドラムカートリッジ１８は、筐体の一例としてのドラム筐体３８を備え、ドラム筐体３８内に、上述した感光ドラム２０、帯電器２１、転写ローラ２２およびクリーニング部材３５を備えている。
ドラム筐体３８は、幅方向に長手かつ上下方向に扁平な中空のボックス形状である（図２も参照）。
【００２５】
ドラム筐体３８の下壁（底壁）には、ドラム筐体３８の内部空間に連通する入口３９が形成されている。ドラム筐体３８の後壁４５には、ドラム筐体３８の内部空間に連通する出口４０が形成されている。入口３９および出口４０は、ともに、用紙Ｐよりも幅広である。上述したようにレジストローラ１１によってレジストされた用紙Ｐは、入口３９からドラム筐体３８内に進入して転写位置を通過した後、出口４０から定着ユニット１４へ向かう。
【００２６】
ドラム筐体３８の内部空間は、前側のカートリッジ収容室４１と、後側のドラム収容室４２とに区画されている。カートリッジ収容室４１とドラム収容室４２とは互いに連通している。
ドラムカートリッジ１８に装着された現像カートリッジ１９は、カートリッジ収容室４１に収容される。ドラム筐体３８の上壁においてカートリッジ収容室４１に一致する部分は、連続して切欠かれており、着脱口４３とされる（図２参照）。現像カートリッジ１９は、ドラムカートリッジ１８に対して着脱される際、着脱口４３を通過する。
【００２７】
ドラム収容室４２は、ドラム筐体３８の上壁、下壁、左壁および右壁のそれぞれにおいてカートリッジ収容室４１より後側の部分とドラム筐体３８の後壁４５とによって囲まれた空間である。
ここで、図２も参照して、ドラム筐体３８の上壁、下壁、左壁および右壁のそれぞれにおいてカートリッジ収容室４１より後側の部分を、順に、ドラム上壁４６、ドラム下壁４７、ドラム左壁４８およびドラム右壁４９という。ドラム上壁４６およびドラム下壁４７は、略水平に延びており、ドラム左壁４８、ドラム右壁４９および上述した後壁４５は、略鉛直に延びている。また、後壁４５の上端とドラム上壁４６の後端とは、斜め前側上方（斜め後側下方）へ傾斜する傾斜壁５０によって、幅方向全域に亘って連結されている。
【００２８】
図１に示すように、ドラム収容室４２に、感光ドラム２０、帯電器２１、転写ローラ２２およびクリーニング部材３５が収容されている。
感光ドラム２０は、中心軸が幅方向に延びる円筒形状をなしている。つまり、感光ドラム２０の軸方向は、幅方向である。感光ドラム２０の幅方向両端部がドラム左壁４８およびドラム右壁４９によって回転自在に支持されている。厳密には、図６に示すように、ドラム左壁４８とドラム右壁４９との間には、幅方向に沿って延びる軸３６が架設されており、その軸３６が感光ドラム２０の円中心に挿通されることによって、感光ドラム２０が軸３６によって回転自在に支持されている。なお、軸３６の幅方向両端部は、ドラム左壁４８およびドラム右壁４９において対応する壁から幅方向外側へ突出している。
【００２９】
図１に示すように、ドラム上壁４６において、感光ドラム２０の上方に位置する部分には、スキャナユニット１２からのレーザビーム（図示鎖線参照）を感光ドラム２０へ導くための導光穴５１が形成されている。導光穴５１は、幅方向に長手であり、その幅方向寸法は、感光ドラム２０の幅方向寸法とほぼ同じである。
転写ローラ２２は、感光ドラム２０の下方に配置されており、感光ドラム２０に下から圧接している。転写ローラ２２の中心軸は、幅方向に延びており、転写ローラ２２の幅方向両端部は、ドラム左壁４８およびドラム右壁４９によって回転自在に支持されている。ドラム下壁４７において、転写ローラ２２の下方に位置する部分は、転写ローラ２２の下側周面に沿うように、下側へ円弧状に膨出している。
【００３０】
クリーニング部材３５は、感光ドラム２０の後側において、後壁４５の前面（感光ドラム２０に後から対向する面）に取り付けられており、感光ドラム２０に接触している。
帯電器２１は、感光ドラム２０の斜め後側上方において、感光ドラム２０の表面に接触しないように間隔を隔てて、感光ドラム２０の表面に対向配置されている。
帯電器２１は、感光ドラム２０と傾斜壁５０との間に配置されて感光ドラム２０の表面に間隔を隔てて対向配置された帯電部材の一例としての放電ワイヤ５２と、放電ワイヤ５２と感光ドラム２０との間に設けられ、放電ワイヤ５２から感光ドラム２０への電荷量を制御するためのグリッド５３とを備えている。
【００３１】
放電ワイヤ５２は、ドラム左壁４８とドラム右壁４９との間において、幅方向に沿って延びるように張設されている。放電ワイヤ５２の長さは、感光ドラム２０の幅方向寸法とほぼ同じである。図２に示すように、ドラム左壁４８には、放電ワイヤ５２に電気的に接続されたワイヤ電極７１が、左側へ露出されるように設けられている。放電ワイヤ５２には、本体ケーシング２に設けられた電気回路基板（図示せず）からの高電圧が、ワイヤ電極７１を介して印加される。
【００３２】
ここで、上述した傾斜壁５０において、放電ワイヤ５２に対して斜め後側上方から対向する部分には、溝５４が形成されている（図１も参照）。溝５４は、幅方向に沿って延びており、傾斜壁５０を貫通して、ドラム収容室４２内に連通している（図１も参照）。溝５４は、幅方向に長手の矩形状をなしている。溝５４の幅方向寸法は、放電ワイヤ５２の長さとほぼ同じである。溝５４の左右の端部は、それぞれ、前後（上下）にやや拡げられている（図２および図３参照）。
【００３３】
傾斜壁５０において、溝５４の左端、右端、上（前）端および下（後）端のそれぞれを区画する縁部を、順に、左縁部５６、右縁部５７（図３参照）、上（前）縁部５８、下（後）縁部５９という。左縁部５６および右縁部５７において溝５４を区画する端縁は、ともに上下（前後）方向に沿って延びており、上（前）縁部５８および下（後）縁部５９において溝５４を区画する端縁は、ともに幅方向に沿って延びている。また、上（前）縁部５８および下（後）縁部５９の上面（外側面）は、傾斜壁５０の上面（外側面）における他の部分を基準として一段窪んでおり、傾斜壁５０の上面における他の部分と面一になっていない。
【００３４】
放電ワイヤ５２では、幅方向におけるほぼ全ての部分が、溝５４を介して、ドラムカートリッジ１８の外側（詳しくは斜め後側上方）へ露出されている。
図１に示すグリッド５３は、ドラム左壁４８とドラム右壁４９との間に架設されている。グリッド５３の左側断面形状は、後上側が切欠かれた略Ｕ字状をなし、グリッド５３は、放電ワイヤ５２の幅方向におけるほぼ全域を斜め前側下方から覆うように配置されている。ドラム左壁４８には、グリッド５３に電気的に接続されたグリッド電極７２が、左側へ露出されるように設けられている（図２参照）。グリッド５３には、上述した電気回路基板（図示せず）からのバイアス電圧が、グリッド電極７２を介して印加される。
【００３５】
この帯電器２１では、グリッド５３にバイアス電圧を印加すると同時に放電ワイヤ５２に高電圧を印加することによって、放電ワイヤ５２がコロナ放電し、上述したように、感光ドラム２０の表面を一様に正帯電させる。
そして、帯電器２１に関連して、ドラムカートリッジ１８は、放電ワイヤ５２をクリーニングするための清掃部材の一例としてのワイヤクリーナ５５を備えている。
【００３６】
ワイヤクリーナ５５は、ベース６０と、クリーニング部６１とを一体的に備えている。
ベース６０は、図２に示すように、平面視において略矩形の平板形状である。ベース６０は、傾斜壁５０の上面（外側面）に配置され、この状態において、傾斜壁５０に沿って傾斜している（図１参照）。ベース６０の上面には、窪み７０が形成されている。
ベース６０には、凸部６５が一体的に設けられている。凸部６５は、図６において、黒く塗り潰して示すように、ベース６０の下面（底面）の左側部分に設けられ、左側へ突出するリブである。凸部６５の左端部６６は、ベース６０の左端面６４よりも左側に突出している。凸部６５の左端部６６とベース６０の左端面６４とは、背面からの断面視で、略Ｌ字状の係止部６７をなしている。上述したようにベース６０が傾斜壁５０の上面に配置された状態において、係止部６７（厳密には凸部６５の左端部６６）は、溝５４内に配置されている（図２も参照）。
【００３７】
図１に示すように、クリーニング部６１は、突起形状であり、ベース６０の下面において底面視における略中央位置から、ベース６０の下面に対して直交する方向に沿って下向き（詳しくは斜め前側下方）に向かって突出している。そのため、ワイヤクリーナ５５全体は、左側面視において、後側へ傾く略Ｔ字形状をなしている。
クリーニング部６１の上部には、斜め前側上方へ僅かに突出する第１リブ７４と、斜め後側下方へ僅かに突出する第２リブ７５とが一体的に設けられている。第１リブ７４および第２リブ７５は、ベース６０の下面に対して、斜め前側下方から隙間を隔てて対向している。
【００３８】
クリーニング部６１の少なくとも下部は、斜め前側下方に向かって、第１部６２と第２部６３とに分岐している。第１部６２は、第２部６３よりも下側へ延び、第２部６３は、第１部６２よりも前側へ延びている。第１部６２と第２部６３との互いの対向面には、スポンジ等の弾性体７３が張り巡らされている。弾性体７３はクリーニング部６１の一部である。
【００３９】
上述したようにベース６０が傾斜壁５０の上面に配置された状態において、クリーニング部６１は、傾斜壁５０の溝５４を通ってドラム収容室４２内に臨んでいる。つまり、ワイヤクリーナ５５は、クリーニング部６１において、溝５４に嵌合されている。詳しくは、上述した傾斜壁５０において溝５４の上（前）端を区画する上（前）縁部５８（図２参照）が、クリーニング部６１の第１リブ７４とベース６０の下面との隙間に遊嵌され、傾斜壁５０の下（後）縁部５９（図２参照）がクリーニング部６１の第２リブ７５とベース６０の下面との隙間に遊嵌されている。
【００４０】
この状態において、クリーニング部６１では、第１部６２と第２部６３とが、放電ワイヤ５２の幅方向における一部を挟持している。厳密には、第１部６２および第２部６３と放電ワイヤ５２との間には、弾性体７３が介在されているので、第１部６２と第２部６３とは、弾性体７３を介して、放電ワイヤ５２の幅方向における一部を挟持している。
また、ワイヤクリーナ５５は、このように溝５４に嵌合された状態で、幅方向に沿ってスライド自在である。詳しくは、ワイヤクリーナ５５は、溝５４の右端側（幅方向一端側）の待機位置（図２、図４および図６（ａ）参照）と、左端側（幅方向他端側）の折返位置（図３、図５および図６（ｂ）参照）との間で、幅方向に沿ってスライド自在である。なお、説明の便宜上、図６では、ワイヤクリーナ５５を、ドットで塗り潰して示している。
【００４１】
ここで、図２ないし図６に示すようにワイヤクリーナ５５が待機位置と折返位置との間のいずれの位置にあっても、係止部６７（厳密には凸部６５の左端部６６）は、溝５４内に配置されている。
ワイヤクリーナ５５が待機位置にあるとき、図６（ａ）に示すように、ワイヤクリーナ５５の右端は、幅方向において、傾斜壁５０で溝５４の右端を区画する右縁部５７に一致している。
【００４２】
ワイヤクリーナ５５が折返位置にあるとき、図６（ｂ）に示すように、ワイヤクリーナ５５の左端は、幅方向において、傾斜壁５０で溝５４の左端を区画する左縁部５６に一致している。このとき、ワイヤクリーナ５５では、係止部６７が、溝５４の左端側における傾斜壁５０の縁部の一例をなす左縁部５６に係止されている。この状態において、図６（ｂ）において点線で囲った部分の拡大図を参照して、係止部６７（詳しくは凸部６５の左端部６６）は、左縁部５６における外側面（上側面）６８の反対の内側面（下側面）６９に対して下から当接している。つまり、凸部６５の左端部６６が左縁部５６の下側に潜り込んでいる。また、係止部６７では、ベース６０の左端面６４が、左縁部５６の右端面に右側から当接している。このように係止部６７が左縁部５６に係止されることによって、折返位置おいて、ワイヤクリーナ５５の上側の移動および折返位置より左側への移動が規制される。
【００４３】
ワイヤクリーナ５５は、常態では、待機位置にある（図２、図４および図６（ａ）参照）。なお、図２に示すように、ワイヤクリーナ５５のベース６０の上面には、三角マーク７６が形成されており、ドラム上壁４６の上面において待機位置のワイヤクリーナ５５と幅方向において一致する部分にも、三角マーク７６が形成されている。ワイヤクリーナ５５が待機位置にあるときにのみ、ワイヤクリーナ５５側の三角マーク７６と、ドラム上壁４６側の三角マーク７６とが幅方向において一致するので、これにより、ユーザは、ワイヤクリーナ５５が待機位置にあることを把握できる。
【００４４】
放電ワイヤ５２をクリーニングする場合、先ず、ドラムカートリッジ１８を本体ケーシング２から取り外す（図１参照）。そして、図２に示すように待機位置にあるワイヤクリーナ５５のベース６０の窪み７０に指を差し込んでワイヤクリーナ５５をつまみ、ワイヤクリーナ５５を、待機位置から折返位置へスライドさせ（図３参照）、次いで、折返位置から待機位置へスライドさせる。
【００４５】
このようにワイヤクリーナ５５をスライドさせることによって、ワイヤクリーナ５５では、クリーニング部６１の第１部６２と第２部６３とが、図１に示すように放電ワイヤ５２を挟持した状態で、放電ワイヤ５２に対して幅方向に相対移動する。これにより、第１部６２と第２部６３とが（厳密には弾性体７３）が、放電ワイヤ５２の表面の幅方向全域に対して摺擦する。これにより、放電ワイヤ５２の表面の汚れ（トナーや紙粉や放電で発生する放電生成物）がこすり落とされ、放電ワイヤ５２がクリーニングされる。
３．作用効果
（１）以上のように、このドラムカートリッジ１８では、感光ドラム２０の軸方向（幅方向）に沿って延び、感光ドラム２０の表面に対向配置された放電ワイヤ５２が、感光ドラム２０の表面を帯電させる。
【００４６】
そして、このドラムカートリッジ１８では、幅方向に沿って延びるようにドラム筐体３８に形成された溝５４に、ワイヤクリーナ５５がスライド自在に嵌合されている。ワイヤクリーナ５５は、溝５４の右端側（幅方向一端側）の待機位置と溝５４の左端側（幅方向他端側）の折返位置との間でスライドして放電ワイヤ５２に摺擦することによって、放電ワイヤ５２をクリーニングする（図２ないし図６参照）。
【００４７】
ここで、図６に示すように、ワイヤクリーナ５５には、係止部６７が設けられている。係止部６７は、ワイヤクリーナ５５がスライドする際、図６（ｂ）に示す折返位置において、溝５４の左端側におけるドラム筐体３８の左縁部５６に係止される。これにより、待機位置から折返位置までスライドしてきたワイヤクリーナ５５がこの左縁部５６を乗り越えて溝５４から外れることが阻止される。つまり、ワイヤクリーナ５５がスライド中にドラム筐体３８から外れることを防止できる。
（２）係止部６７は、左縁部５６における外側面６８の反対の内側面６９に当接するので、係止部６７が左縁部５６から外側へ離脱しにくくなり、係止部６７が左縁部５６に係止された状態を強固に維持することができる。その結果、ワイヤクリーナ５５がスライド中にドラム筐体３８から外れることを確実に防止できる。
（３）係止部６７は、溝５４内に配置されているので邪魔にならず、ワイヤクリーナ５５のスライド中に係止部６７が溝５４の周りの部品に干渉することを防止できる。
４．変形例
上記した実施形態では、背面から見た断面が略Ｌ字状の係止部６７を例示したが、ワイヤクリーナ５５が折返位置にあるときに係止部６７が傾斜壁５０の左縁部５６に係止されるのであれば、係止部６７の形状はどのような形状でもよい。たとえば、左縁部５６を上下から挟むように左側が切り欠かれた断面略Ｕ字状の係止部６７を用いてもよい。このような形状の係止部６７は、ワイヤクリーナ５５が折返位置にあるときに、左縁部５６の外側面６８および内側面６９の両方に当接する。
【００４８】
上記した実施形態ではモノクロプリンタを例示したが、本発明は、カラープリンタに適用することもできる。また、レーザによって感光ドラムを露光させたが、ＬＥＤによって感光ドラムを露光させてもよい。
【図面の簡単な説明】
【００４９】
【図１】本発明の画像形成装置の一例としてのレーザプリンタの側断面図である。
【図２】ドラムカートリッジを左後側上方から見た斜視図であって、ワイヤクリーナが待機位置にある状態を示す。
【図３】図２においてワイヤクリーナが折返位置にある状態を示す。
【図４】ドラムカートリッジの平面図であって、ワイヤクリーナが待機位置にある状態を示す。
【図５】図４においてワイヤクリーナが折返位置にある状態を示す。
【図６】（ａ）は、図４のＡ−Ａ矢視断面図であり、（ｂ）は、図５のＢ−Ｂ矢視断面図である。
【符号の説明】
【００５０】
１      レーザプリンタ
１８    ドラムカートリッジ
２０    感光ドラム
３８    ドラム筐体
５２    放電ワイヤ
５４    溝
５５    ワイヤクリーナ
５６    左縁部
６７    係止部
６８    外側面
６９    内側面
【図１】
2010039322.tif 000003
【図２】
2010039322.tif 000004
【図３】
2010039322.tif 000005
【図４】
2010039322.tif 000006
【図５】
2010039322.tif 000007
【図６】
2010039322.tif 000008